(57)【要約】      （修正有）【課題】バッグの部材間（たとえば上部と下部）が着脱可能に構成され、複数のバッグの上部および下部などの中から、使用者の好みや使用場所等に応じて、自由に組み合わせることができる、デザイン性のバリエーションに富むバッグを提供する。【解決手段】バッグは、底面部Ｂと側面部Ａとを有し、所定の部分（たとえばバッグの上部Ｃ１と下部Ｃ２）を着脱可能に結合する係止手段Ｄを所定の位置に備える。係止手段は、一対のファスナー、ボタンとボタン穴、および一対の面ファスナーから選択される少なくとも１つである。【選択図】図１
0003226155.tif 000002
【実用新案登録請求の範囲】
【請求項１】
側面部（Ａ）と底面部（Ｂ）とを有するバッグであって、
当該バッグの上部分であるバッグ上部（Ｃ１）と当該バッグの下部分であるバッグ下部（Ｃ２）とを着脱可能に結合する一対の係止手段（Ｄ）を前記側面部（Ａ）に備え、
当該一対の係止手段（Ｄ）が、一対のファスナー、ボタンとボタン穴、および一対の面ファスナーからなる群から選択される少なくとも１つであることを特徴とするバッグ。
【請求項２】
側面部（Ａ）と底面部（Ｂ）とを有するバッグであって、
当該バッグの右部分であるバッグ右部（Ｃ３）と当該バッグの左部分であるバッグ左部（Ｃ２）とを着脱可能に結合する一対の係止手段（Ｄ）を前記側面部（Ａ）および前記底面部（Ｂ）に備え、
当該一対の係止手段（Ｄ）が、一対のファスナー、ボタンとボタン穴、および一対の面テープからなる群から選択される少なくとも１つであることを特徴とするバッグ。
【請求項３】
側面部（Ａ）と底面部（Ｂ）とまち部（Ａ´）を有するバッグであって、バッグの前部分であるバッグ前部（Ｃ５）と当該バッグの後部分であるバッグ後部（Ｃ６）とを着脱可能に結合する一対の係止手段（Ｄ）を前記まち部（Ａ´）および前記底面部（Ｂ）に備え、
当該一対の係止手段（Ｄ）が、一対のファスナー、ボタンとボタン穴、および一対の面ファスナーからなる群から選択される少なくとも１つであることを特徴とするバッグ。
【考案の詳細な説明】
【技術分野】
【０００１】
本考案は、新規のバッグに関し、より具体的には、使用者が、任意にバッグの部材同士（たとえば、バッグ上部とバッグ下部）を分離・結合することができ、バッグ上部やバッグ下部などの複数のバッグを構成する部材の中から、任意に（自由に）組み合わせることによって、無数のデザインバリエーションを可能とする新規のバッグに関する。
【背景技術】
【０００２】
バッグは、被収容物品の収容量の大きさ、持ち運びのしやすさといった、収容袋としても機能のみならず、その外観の意匠性や装飾性といった審美的な機能も重要な機能と認識されている。そのため、様々なバッグが開発されている。
【０００３】
たとえば、特許文献１では、「少なくとも側面を固定枠によって形成し、下部に回転コロが設けられているトラベル用バッグの上部または側部において、他のバッグをファスナーまたはボタンなどによって、着脱自在とすることによる結合バッグ」を開示している（実用新案登録請求の範囲）。
【先行技術文献】
【特許文献】
【０００４】
【特許文献１】実用新案登録第３００９７８４号公報
【考案の概要】
【考案が解決しようとする課題】
【０００５】
本考案者は、従来のバッグは購入時のデザインに固定化され、使用場所、使用時、使用者の気分等によって、そのバッグ単独でデザインのバリエーションを求めることはできなかった。この点に鑑みて、鋭意検討した結果、バッグの上部や下部などバッグの部材同士が着脱可能である構成を採用すれば、このような課題を解決できることを見出した。
【０００６】
すなわち、本考案は、バッグの部材同士が着脱可能に構成されていることで、複数のバッグの部材の中から、使用者の好みや使用場所等に応じて、自由に組み合わせることができる、すなわち、無数のデザインバリエーションを可能にするバッグを提供することを目的とする。
【課題を解決するための手段】
【０００７】
本考案に係るバッグは以下の通りである。
［１］  側面部（Ａ）と底面部（Ｂ）とを有するバッグであって、
当該バッグの上部分であるバッグ上部（Ｃ１）と当該バッグの下部分であるバッグ下部（Ｃ２）とを着脱可能に結合する一対の係止手段（Ｄ）を前記側面部（Ａ）に備え、
当該一対の係止手段（Ｄ）が、一対のファスナー、ボタンとボタン穴、および一対の面ファスナーからなる群から選択される少なくとも１つであることを特徴とするバッグ。
【０００８】
［２］  側面部（Ａ）と底面部（Ｂ）とを有するバッグであって、
当該バッグの右部分であるバッグ右部（Ｃ３）と当該バッグの左部分であるバッグ左部（Ｃ４）とを着脱可能に結合する一対の係止手段（Ｄ）を前記側面部（Ａ）および前記底面部（Ｂ）に備え、
当該一対の係止手段（Ｄ）が、一対のファスナー、ボタンとボタン穴、および一対の面ファスナーからなる群から選択される少なくとも１つであることを特徴とするバッグ。
【０００９】
［３］  側面部（Ａ）と底面部（Ｂ）とまち部（Ａ´）を有するバッグであって、当該まち部（Ａ´）に、バッグの前部分であるバッグ前部（Ｃ５）と当該バッグの後部分であるバッグ後部（Ｃ６）とを着脱可能に結合する一対の係止手段（Ｄ）を前記まち部（Ａ´）および前記底面部（Ｂ）に備え、
当該一対の係止手段（Ｄ）が、一対のファスナー、ボタンとボタン穴、および一対の面ファスナーからなる群から選択される少なくとも１つであることを特徴とするバッグ。
【図面の簡単な説明】
【００１０】
【図１】図１は、本考案に係るバッグを説明するための図である。図１（Ａ）は、本考案に係るバッグであって、バッグ上部（Ｃ１）とバッグ下部（Ｃ２）とが係止手段（Ｄ）により結合しているバッグを説明するための図である。また、図１（Ｂ）は、本考案に係るバッグであって、バッグ上部（Ｃ１）とバッグ下部（Ｃ２）とが分離した状態にあるバッグを説明するための図である。
【図２】図２は、本考案に係るバッグの一態様（ハンドバッグ）を説明するための図である。
【図３】図３は、本考案に係るバッグの一態様（ドレス型バッグ）を説明するための図である。
【図４】図４は、本考案に係るバッグであって、バッグ右部（Ｃ３）とバッグ左部（Ｃ４））とが係止手段（Ｄ）により結合しているバッグを説明するための図である。
【図５】図５は、本考案に係るバッグであって、バッグ前部（Ｃ５）と当該バッグの後部分であるバッグ後部（Ｃ６）とが係止手段（Ｄ）により結合しているバッグを説明するための図である。
【考案を実施するための形態】
【００１１】
以下、本考案に係るバッグについて、適宜図面を参照しつつ説明する。
図１、４および５は、本考案に係るバッグを例示する。図１および４に示されるように、本考案に係るバッグは、側面部（Ａ）と底面部（Ｂ）とを有する限り特に限定されるものではなく、その他の部材（たとえば、図５の付番Ａ´に示されるように、まち部（Ａ´））などを有していてもよい。また、取っ手（Ｅ）がある側は、バッグの内部に収容物を入れるため開口されていてもよいし、図４に示すように上面部（Ｂ´）を備えていてもよい。
また、バッグの種類・形状は特に限定されず。たとえば、トートバッグやハンドバッグのような形状であってもよいし、ボストンバックのような形状であってもよい。
【００１２】
また、側面部（Ａ）や底面部（Ｂ）など構成部材の材質も特に限定されないが、たとえば、布、人工皮革、皮革などが挙げられる。
【００１３】
図１の付番Ｅに示されるように、本考案に係るバッグは、取っ手（E)を適宜有していてもよい。当該取っ手（E)は、公知の結合方法（たとえば、縫い付け、リベット止めなど）によって、バッグの部材（たとえば、側面部（A)など）に結合しているが、ボタンや面テープなどによって、着脱可能に結合しているものであってもよい。
【００１４】
図１に示される態様では、係止手段（Ｄ）は、バッグの側面部（Ａ）（まち部（Ａ´）がある場合は、側面部（Ａ）およびまち部（Ａ´））に設けられている。たとえば、係止手段（Ｄ）は、底面部（B)に対し、ほぼ平行の位置を維持しながら、側面部（Ａ）（側面部（Ａ）およびまち部（A´））を１周して、バッグ上部Ｃ１とバッグ下部Ｃ２とを着脱自在に結合するものである。そのため、図１（Ｂ）に示されるように、バッグ上部（Ｃ１）とバッグ下部（Ｃ2）とを分離することができ、いづれか一方を別のバッグ上部（Ｃ１）やバッグ下部（Ｃ２）と交換することができる。
【００１５】
図４に示される態様では、係止手段（D)は、バッグの側面部（Ａ）および底面部（B)に設けられている。この図４は、係止手段（Ｄ）は、底面部（B)に対し、ほぼ垂直の位置を維持しながら、側面部（Ａ）に、更には上面部（Ｂ´）および、図示はしないが底面部（Ｂ）に設けられている態様を例示している。そのため、当該係止手段（Ｄ）は、バッグ右部（Ｃ３）とバッグ左部（Ｃ４）とを着脱自在に結合することができる。なお、バッグ右部（Ｃ３）およびバッグ左部（Ｃ４）とは、それぞれ、バッグの底面部（Ｂ）を下側（地面側）に置いた場合に、係止手段（Ｄ）を境目に、右側にある部分および左側にある部分を指す。
【００１６】
図５に示される態様では、係止手段（Ｄ）は、まち部（Ａ´）と、図示されていないが底面部（Ｂ）に設けられている。すなわち、係止手段（Ｄ）は、まち部（Ａ´）と底面部（Ｂ）とを着脱自在に結合し、バッグを、係止手段（Ｄ）を境目に前後に分離する（すなわち、バッグ前部（Ｃ５）とバッグ後部（Ｃ６）とに分離する）ことができる。この分離されたバッグ前部（Ｃ５）とバッグ後部（Ｃ６）を裏返した上で、再度結合させてもバッグを再構成できるため、バッグの表裏でデザインを変更できる。
【００１７】
なお、バッグの形状、デザイン（意匠）も特に限定されるものではない。図２は、本考案にかかる具体的なバッグを示しているが、この図に示されるバッグのように、比較的汎用された（比較的オーソドックスな）外観デザインを有するものであってもよい。一方で、図３に示されるように、ドレスを模した形状（たとえば、ワンピース型の形状）を有するなど、従来にはない形態を採用することもできる。なお、図３に示されるバッグは、係止手段（Ｄ）が、付番Ｆで示すフリル部で外観から視認できないようになっており、バッグの意匠性を高めている。
【００１８】
本考案に係るバッグは、図１、４および５の付番Ｄに示されるように、一対の係止手段（Ｄ）を有する。ここで、一対の係止手段（Ｄ）とは、一対のファスナー、ボタンとボタン穴、および一対の面ファスナーからなる群から選択される少なくとも１つである。
たとえば、当該係止手段は、図１（Ａ）に示されるように、バッグ上部（Ｃ１）（すなわち、バッグの開口部（被収容物を出し入れする口）側の部分）とバッグ下部（Ｃ２）（バッグの底面部側の部分）とを結合するものであるが、図１（Ｂ）に示されるように、使用者は任意に、バッグ上部Ｃ１とバッグ下部Ｃ２とを分離することができる。
【００１９】
係止手段（Ｄ）としては、バッグ上部（Ｃ１）とバッグ下部（Ｃ２）（たとえば図１の態様）、バッグ右部（Ｃ３）とバッグ左部（Ｃ４）（たとえば図４の態様）、当該側面部（Ａ）と底面部（Ｂ）との接合部分（たとえば図５の態様）を着脱可能に結合するものであり、一対のファスナー、ボタンとボタン穴、および一対の面ファスナーの何れか１種類であってもよいし、これらを複数種類用いてもよい。中でも、バッグ上部（Ｃ１）とバッグ下部（Ｃ２）と容易に結合したり、分離したりすることができるという点で、一対のファスナーが好ましい。ここで、一対のファスナーとは、具体的には、一対のファスナーストリンガーおよび当該一対のファスナーストリンガーの対向縁に沿って移動して一対のファスナーストリンガーを閉鎖するスライダーを含むものである。
【００２０】
また、一対の面ファスナーとは、たとえば、マジックテープ（登録商標）などとして市販されているものであり、フック構造が設けられたフック面（通称「オス」や「Ａ面」）と、ループ構造が設けられたループ面（通称「メス」や「Ｂ面」）からなる一対をいう。
【００２１】
また、本考案に係るバッグにおいては、上述のように、使用者は任意に、バッグ上部（Ｃ１）とバッグ下部（Ｃ２）とを結合させたり、分離させたりすることができるが、たとえば、バッグ上部（Ｃ１）またはバッグ下部（Ｃ２）の何れかが汚損した場合、同一形状のバッグ上部（Ｃ１）または下部（Ｃ２）と交換することができる。また、色彩、形状などデザイン（意匠）が異なる複数のバッグ上部（Ｃ１）およびバッグ下部（Ｃ２）があれば、使用者の好みや使用時間・使用場所などを考慮して、複数のバッグ上部（Ｃ１）およびバッグ下部（Ｃ２）の中から任意に（自由に）組み合わせることができる。なお、このような効果は、図４〜５に示された本考案に係るバッグの態様でも同様である。
【００２２】
すなわち、本考案によれば、バッグの構成部材（たとえばバッグ上部（Ｃ１）やバッグ下部（Ｃ２））の組み合わせによって、無数のデザインバリエーションを可能にすることができる。
【００２３】
たとえば、図２のハンドバッグでは、特定の模様が施された黒色のバッグ下部（Ｃ２）を、白色のバッグ下部（Ｃ２）と交換できる。たとえば、バッグ上部（Ｃ１）およびバッグ下部（Ｃ２）のバリエーションがそれぞれ６種類ある場合、合計３６通り（６×６）、それぞれ１０種類ある場合、合計１００通り（１０×１０）のデザインバリエーションを可能にする。
【産業上の利用可能性】
【００２４】
本考案によれば、使用者は、バッグの部材間（たとえばバッグ上部（Ｃ１）およびバッグ下部（Ｃ２））を分離・結合することができ、複数のバッグの構成部材（たとえばバッグ上部（Ｃ１）およびバッグ下部（Ｃ２））の中から、任意に組み合わせることによって、無数のデザインバリエーションを可能とする新規のバッグを提供することができる。
【符号の説明】
【００２５】
Ａ：側面部
Ａ´：まち部
Ｂ：底面部
Ｂ´：上面部
Ｃ１：バッグ上部（バッグ下部Ｄと結合した状態）
Ｃ２：バッグ下部（バッグ上部Ｃと結合した状態）
Ｃ１´：バッグ上部（バッグ下部Ｄと分離した状態）
Ｃ２´：バッグ下部（バッグ上部Ｃと分離した状態）
Ｃ３：バッグ右部
Ｃ４：バッグ左部
Ｄ：係止手段
Ｅ：取っ手
Ｆ：フリル部
【図１】
0003226155.tif 000003
【図２】
0003226155.tif 000004
【図３】
0003226155.tif 000005
【図４】
0003226155.tif 000006
【図５】
0003226155.tif 000007